(57)【特許請求の範囲】
【請求項１】
水中に沈めて、光によって魚を集める水中集魚灯であって、
複数の青色系発光ダイオードがリング状に配設されてなり、これら複数の青色系発光ダイオードは複数のグループに分かれている、第１光源部と、
複数の白色発光ダイオードがリング状に配設されてなる第２光源部と、
前記第１光源部および前記第２光源部の光量を、それぞれ独立して制御可能に構成された制御部とを備え、
前記第１および第２光源部は、当該水中集魚灯が水没した状態において、前記第２光源部が前記第１光源部よりも水上側に位置するように、配置されており、
前記制御部は、前記第１光源部の青色系発光ダイオードの光量を、１／ｆゆらぎでもって制御可能であり、かつ、各グループ毎に、独立して制御可能であり、
前記制御部が、前記第２光源部については一定光量でもって発光させる一方、前記第１光源部については、青色系発光ダイオードの光量を、１／ｆゆらぎでもって、グループ毎に、ゆらぎのタイミングをずらすように制御する、動作モードが設けられている
ことを特徴とする水中集魚灯。
【請求項２】
請求項１記載の水中集魚灯において、
青色系発光ダイオードの光の波長は、４５０ｎｍ〜５５０ｎｍをピークとするものである
ことを特徴とする水中集魚灯。
【発明の詳細な説明】
【技術分野】
【０００１】
本発明は、海などの水中に沈めて、発光することによって魚を集める水中集魚灯に関するものである。
【背景技術】
【０００２】
水中集魚灯とは、海などの水中に沈めて、光を放つことによって魚を集める装置である。光に集まる性質を持つ魚種が多くあるほか、光に集まるプランクトンを求めて多くの魚が集まってくる。例えば遊漁の分野では、乾電池式の水中集魚灯が用いられる。
【０００３】
従来は、このような水中集魚灯の光源としては、例えば蛍光灯などが用いられてきたが、近年では、ＬＥＤ照明を用いた水中集魚灯が提案され始めている（例えば、特許文献１）。
【先行技術文献】
【特許文献】
【０００４】
【特許文献１】特開２０１１−２０５９６１号公報
【特許文献２】特開２００７−６０９８９号公報
【発明の概要】
【発明が解決しようとする課題】
【０００５】
魚介類を集めるためには、青色系発光ダイオードが放つ青色光が有効であるとの知見はすでに知られている（例えば、特許文献２）。また、本願発明者等の集めた情報によると、青色系発光ダイオードの光は小魚を集めるのに効果的との情報もある。
【０００６】
ただし、青色の光は人間の目では見にくいため、青色系発光ダイオードを配置した水中集魚灯を水中に沈めた場合には、その周辺の状況を水上から視認することは困難になることが予想される。
【０００７】
本発明は、かかる点に鑑みてなされたものであり、集魚効果が大きく、かつ、周辺状況の視認性が高い水中集魚灯を提供することを目的とする。
【課題を解決するための手段】
【０００８】
本発明の一態様は、水中に沈めて、光によって魚を集める水中集魚灯として、複数の青色系発光ダイオードがリング状に配設されてなり、これら複数の青色系発光ダイオードは複数のグループに分かれている、第１光源部と、複数の白色発光ダイオードがリング状に配設されてなる第２光源部と、前記第１光源部および前記第２光源部の光量を、それぞれ独立して制御可能に構成された制御部とを備え、前記第１および第２光源部は、当該水中集魚灯が水没した状態において、前記第２光源部が前記第１光源部よりも水上側に位置するように、配置されており、前記制御部は、前記第１光源部の青色系発光ダイオードの光量を、１／ｆゆらぎでもって制御可能であり、かつ、各グループ毎に、独立して制御可能であり、前記制御部が、前記第２光源部については一定光量でもって発光させる一方、前記第１光源部については、青色系発光ダイオードの光量を、１／ｆゆらぎでもって、グループ毎に、ゆらぎのタイミングをずらすように制御する、動作モードが設けられている。
【０００９】
この態様によると、水中集魚灯は、青色系発光ダイオードからなる第１光源部と、白色発光ダイオードからなる第２光源部とを備えている。このため、青色系発光ダイオードが放つ青色光によって小魚等が集まりやすく、また、白色発光ダイオードが放つ白色光も集魚効果を有する。加えて、白色発光ダイオードが放つ白色光によって、水中に沈めた水中集魚灯の周辺の状況が水上から視認しやすくなるため、魚の集まり具合などが水上から容易に確認することができる。しかも、第１光源部と第２光源部の光量は、それぞれ独立に制御可能であるため、青色光の光量を、魚が集まりやすくなるように制御しつつ、白色光の光量を、水上からの視認性が高まるように十分大きく設定するというような制御が可能になる。したがって、集魚効果が大きく、かつ、周辺状況の視認性が高い水中集魚灯を実現することが可能となる。
【発明の効果】
【００１０】
本発明によると、集魚効果が大きく、かつ、周辺状況の視認性が高い水中集魚灯を実現することができる。
【００１１】
なお、特許文献２では、サンマ棒受網漁に適したＬＥＤ集魚灯として、青緑色発光ダイオードと白色発光ダイオードを組み合わせて単位光源を構成し、この単位光源を多数個組み合わせて電気竿を構成している。ただしこれは、異なる種類の発光ダイオードを組み合わせて色調を合成することで、異なる水質または用途に対する適合性を高めるとともに、漁労作業者の目の疲労を軽減するものである。したがって、本願発明とは目的、構成および効果が異なっている。さらには、特許文献２では、青緑色発光ダイオードと白色発光ダイオードの光量をそれぞれ独立に制御する、といった特徴については何ら開示されていないし、また技術上、その必要もない。
【図面の簡単な説明】
【００１２】
【図１】実施形態に係る水中集魚灯の外観図である。
【図２】実施形態に係る水中集魚灯の内部構成を示す断面図である。
【図３】（ａ），（ｂ）は実施形態に係る水中集魚灯の光源部の構成を示す平面図である。
【図４】実施形態に係る水中集魚灯の回路構成を示す回路図である。
【発明を実施するための形態】
【００１３】
以下、本発明の実施形態を図面に基づいて詳細に説明する。
【００１４】
図１は実施形態に係る水中集魚灯の外観図である。図１に示すように、本体部１に発光部２が固定されており、防水仕様になっている。発光部２の周囲に、とって３の付いた半透明のカバー４が設置されている。スイッチ５によって、発光部２のオン／オフ、およびオン時における発光モードが切り替え可能である。本体部１の内部には電池（図示せず）が装着される。電池は発光部２の電源として機能するとともに、当該水中集魚灯を水没させたときの重りの役割も果たす。
【００１５】
図２は図１に示す水中集魚灯の内部構造を示す断面図である。図２に示すように、発光部２の内部には、青色系発光ダイオード１１からなる第１光源部１０と、白色発光ダイオード２１からなる第２光源部２０とが、設けられている。ここでは、青色系発光ダイオード１１として、光の波長が４５０ｎｍ〜５５０ｎｍをピークとするものを用いるものとする。図３（ａ）は第１光源部１０の平面図、図３（ｂ）は第２光源部２０の平面図である。図３（ａ）に示すように、第１光源部１０では、１２個の青色系発光ダイオード１１がリング状に配設されており、各青色系発光ダイオード１１はリング外方に向けて光を照射する。図３（ｂ）に示すように、第２光源部２０では、８個の白色発光ダイオード２１がリング状に配設されており、各白色発光ダイオード２１はリング外方に向けて光を照射する。第１および第２光源部１０，２０は、当該水中集魚灯が水没した状態において、第２光源部２０が第１光源部１０よりも水上側に位置するように、配置されている。これは、白色発光ダイオード２１からなる第２光源部２０が上側すなわち水上に近い側に位置する方が、水上から見た場合の視認性がより高まるからである。もちろん、第１および第２光源部１０，２０の配置位置を入れ替えてもかまわない。
【００１６】
図４は図１に示す水中集魚灯の回路構成を示す回路図である。図４に示すように、第１光源部１０の１２個の青色系発光ダイオード１１は、３個ずつ、４つのグループに分けられており、それぞれ独立して光量が制御可能になっている。また、第２光源部２０の８個の白色発光ダイオード２１は、第１光源部１０の青色系発光ダイオード１１とは独立して、光量が制御可能になっている。すなわち、第１光源部１０の青色系発光ダイオード１１に対して第１の電流制御部３１が設けられており、また、第２光源部２０の白色発光ダイオード２１に対して第２の電流制御部３２が設けられている。そしてＩＣ３０は、第１の電流制御部３１に制御信号を与えることによって、青色系発光ダイオード１１に流れる電流を４つのグループ毎に個別に制御可能である。またＩＣ３０は、第２の電流制御部３２に制御信号を与えることによって、白色発光ダイオード２１に流れる電流を制御可能である。第１および第２の電流制御部３１，３２は、例えば、発光ダイオード１１，２１と直列に接続されたトランジスタを有しており、ＩＣ３０は制御信号によって各トランジスタのゲート電圧を制御することによって、発光ダイオード１１，２１に流れる電流を制御する。ＩＣ３０並びに第１および第２の電流制御部３１，３２によって、制御部が構成されている。これにより、ＩＣ３０は、第１光源部１０と第２光源部２０の光量をそれぞれ独立に制御可能であり、また、第１光源部１０の光量を、グループ別に、それぞれ独立して制御可能である。
【００１７】
本実施形態では、スイッチ５の切り替えによって、ＯＮモードとＡＵＴＯモードとが設定可能になっている。ＯＮモードでは、ＩＣ３０は、第１光源部１０と第２光源部２０の両方を一定光量でもって発光させる。ＡＵＴＯモードでは、ＩＣ３０は、第２光源部２０については一定光量でもって発光させる一方、第１光源部１０については、各青色系発光ダイオード１１の光量を、１／ｆゆらぎでもって制御する。このとき、グループ毎に、ゆらぎのタイミングをずらすようにしてもよい。青色光の光量を１／ｆゆらぎでもって制御することによって、より自然界に近い発光体を実現することができるため、魚の目から見ても違和感を感じさせることがなく、集魚効果がより高まるものと考えられる。
【００１８】
このように本実施形態によると、青色系発光ダイオード１１からなる第１光源部１０と白色発光ダイオード２１からなる第２光源部２０の光量は、それぞれ独立に制御可能である。このため、青色光の光量を、例えば１／ｆゆらぎでもって魚が集まりやすくなるように制御しつつ、白色光の光量を、水上からの視認性が高まるように十分大きく設定するというような制御が可能になる。したがって、集魚効果が大きく、かつ、周辺状況の視認性が高い水中集魚灯を実現することが可能となる。
【００１９】
なお、本実施形態では、ＡＵＴＯモードにおいて、第１光源部１０の青色光の光量を１／ｆゆらぎでもって制御するものとしたが、これに限られるものではなく、例えばＩＣ３０の設定によって、どのような光量制御を行ってもよい。また、第２光源部２０の白色光の光量を、例えば１／ｆゆらぎなどでもって変動させてもよい。
【００２０】
また、本実施形態で示した、青色系発光ダイオード１１の個数、グループの個数や分け方、ピーク波長、白色発光ダイオード２１の個数はあくまでも一例であり、これに限られるものではない。また、第１光源部１０および第２光源部２０の構成についても、ここで示したものに限られるものではない。
【産業上の利用可能性】
【００２１】
本発明では、集魚効果が大きく、かつ、周辺状況の視認性が高い水中集魚灯を実現することができるので、例えば、レジャーフィッシング等に有効である。
【符号の説明】
【００２２】
１０  第１光源部
１１  青色系発光ダイオード
２０  第２光源部
２１  白色発光ダイオード
３０  ＩＣ
３１  第１電流制御部
３２  第２電流制御部
【図１】
0005878769.tif 000002
【図２】
0005878769.tif 000003
【図３】
0005878769.tif 000004
【図４】
0005878769.tif 000005